(57)【要約】【課題】貯湯槽下部の水温上昇を防止し、エネルギー効率の高いヒートポンプ給湯運転を行うことを目的とする。【解決手段】圧縮機３１、給湯用熱交換器３２、減圧手段３３、蒸発器３４を順次接続した冷媒回路と、貯湯槽４１の下部から循環ポンプ４３を介して、前記給湯用熱交換器３２、三方弁４４を通過し、前記貯湯槽４１の上部へと水を循環させる給湯回路と、前記三方弁４４と前記貯湯槽４１の下部と接続するバイパス回路４７とを備え、前記循環ポンプ４３の停止時または前記循環ポンプ４３による低流量運転時、前記給湯用熱交換器３２と前記貯湯槽４１の下部とが連通するように、前記三方弁４４を制御することを特徴するもので、貯湯槽４１上部の高温の湯の逆流と、貯湯槽４１下部の水温上昇を防止し、エネルギー効率の高い給湯運転を行うことができる。【選択図】図１
2009085476.tif 000002
【特許請求の範囲】
【請求項１】
圧縮機、給湯用熱交換器、減圧手段、蒸発器を順次接続した冷媒回路と、貯湯槽の下部から循環ポンプを介して、前記給湯用熱交換器、三方弁を通過し、前記貯湯槽の上部へと水を循環させる給湯回路と、前記三方弁と前記貯湯槽の下部と接続するバイパス回路とを備え、前記循環ポンプの停止時または前記循環ポンプによる低流量運転時、前記給湯用熱交換器と前記貯湯槽の下部とが連通するように、前記三方弁を制御することを特徴するヒートポンプ給湯装置。
【請求項２】
給湯用熱交換器を流出する給湯水の温度を検知する出湯温度センサーを有し、前記出湯温度センサーの検知温度が目標値より低い場合には、前記給湯用熱交換器と前記貯湯槽の下部とが連通するように、三方弁を制御することを特徴とする請求項１記載のヒートポンプ給湯装置。
【請求項３】
給湯用熱交換器を流出する給湯水の温度を検知する出湯温度センサーを有し、前記出湯温度センサーの検知温度が目標値以上の場合には、前記給湯用熱交換器と前記貯湯槽の上部とが連通するように、三方弁を制御することを特徴とする請求項１または２記載のヒートポンプ給湯装置。
【請求項４】
給湯運転終了時は、給湯用熱交換器と貯湯槽の下部とが連通するように、三方弁を制御することを特徴とする請求項１〜３のいずれか１項に記載のヒートポンプ給湯装置。
【請求項５】
除霜運転中は、給湯用熱交換器と貯湯槽の下部とが連通するように、三方弁を制御することを特徴する請求項１〜４のいずれか１項に記載のヒートポンプ給湯装置。
【請求項６】
除霜運転終了後は、給湯用熱交換器と貯湯槽の上部とが連通するように、三方弁を制御することを特徴とする請求項５記載のヒートポンプ給湯装置。
【請求項７】
冷媒として炭酸ガスを用いたことを特徴とする請求項１〜６のいずれか１項に記載のヒートポンプ給湯装置。
【発明の詳細な説明】
【技術分野】
【０００１】
本発明は貯湯式のヒートポンプ給湯装置に関する。
【背景技術】
【０００２】
従来、この種のヒートポンプ給湯装置は、図２に示すものがある（例えば、特許文献１参照）。図２において、ヒートポンプ給湯装置は、圧縮機１、給湯用熱交換器２、減圧手段３、蒸発器４からなる冷媒循環回路と、貯湯槽５、循環ポンプ６、前記給湯用熱交換器２、三方弁７、貯湯槽５頂部の温水戻り口８を順次接続した給湯回路と、前記三方弁７と前記貯湯槽５底部を接続するバイパス回路からなる。
【０００３】
運転を開始すると、循環ポンプ６が運転され、貯湯槽５から給湯用熱交換器２に流入する入水温度が計測され、室外気温、入水温度と出湯目標温度により、圧縮機１の運転周波数、減圧手段３の初期開度が決定され、圧縮機１が運転開始する。圧縮機１より吐出された冷媒は次第に高温高圧の過熱ガス冷媒となり、給湯用熱交換器２に流入し、ここで循環ポンプ６から送られてきた給湯水を加熱する。
【０００４】
そして、凝縮液化した冷媒は減圧手段３で減圧され、蒸発器４に流入し、ここで大気熱を吸熱して蒸発ガス化し、圧縮機１にもどる。一方、給湯用熱交換器２で加熱された湯はその温度が給湯設定温度（例えば８０℃）より一定値低い温度（例えば７０℃）より低い場合、貯湯槽５の低部に戻り、給湯設定温度（例えば８０℃）より一定値低い温度（例えば７０℃）より高くなると三方弁７を切り替え、貯湯槽５の上部に流入し、貯湯槽５の上から次第に貯湯されていく。
【０００５】
そして、給湯用熱交換器２の入口水温が設定値に達すると入水温度センサー２０が検知し、圧縮機１によるヒートポンプ運転を停止するものである。さらに、室外気温が低く蒸発器４に霜が生成し、その霜を溶かす除霜運転を行う場合、循環ポンプ６を停止し、給湯運転を停止し、減圧手段３を開き、高温高圧の冷媒を蒸発器４に流し、その熱により除霜する。除霜運転終了後、給湯運転を再開するが、給湯用熱交換器２の出口温度が給湯設定温度（例えば８０℃）より一定値低い温度（例えば７０℃）より低い場合、貯湯槽５の低部に戻るように三方弁７は制御され、給湯用熱交換器２の出口温度が給湯設定温度（例えば８０℃）より一定値低い温度（例えば７０℃）より高くなると三方弁７を切り替え、貯湯槽５の上部に流入し貯湯されていく。
【特許文献１】特開昭６０−１６５１５７号公報
【発明の開示】
【発明が解決しようとする課題】
【０００６】
しかしながら、上記のような従来の構成では、循環ポンプを停止したり、または循環ポンプを低流量で運転する場合、三方弁７を貯湯槽５の上部に流入するようにしておくと、貯湯槽５給湯用熱交換器と貯湯槽の高さの違いや水温の違いによる水の比重の違いにより、貯湯槽５上部から高温の湯が給湯熱交換器を通り貯湯槽の底部に逆流する場合があり、貯湯槽の高温の湯量が低下すると共に、貯湯槽下部の低温（例えば１０℃）の水と混合し、貯湯槽５底部の水温は上昇する。その結果、給湯運転時に給湯熱交換器２に流入する水温が上昇するため、給湯熱交換器２の放熱量が低下し、給湯機のエネルギー効率が低下するという課題がある。
【０００７】
本発明は前記従来の課題を解決するものであり、循環ポンプを停止したり、または循環ポンプを低流量で運転する場合、三方弁を貯湯槽下部に連通させるように制御し、貯湯槽
上部の高温の湯の逆流を防止し、エネルギー効率の高い給湯運転を可能とすることである。
【課題を解決するための手段】
【０００８】
前記従来の課題を解決するために、本発明のヒートポンプ給湯装置は、圧縮機、給湯用熱交換器、減圧手段、蒸発器を順次接続した冷媒回路と、貯湯槽の下部から循環ポンプを介して、前記給湯用熱交換器、三方弁を通過し、前記貯湯槽の上部へと水を循環させる給湯回路と、前記三方弁と前記貯湯槽の下部と接続するバイパス回路とを備え、前記循環ポンプの停止時または前記循環ポンプによる低流量運転時、前記給湯用熱交換器と前記貯湯槽の下部とが連通するように、前記三方弁を制御することを特徴するもので、貯湯槽上部の高温の湯の逆流と、貯湯槽下部の水温上昇を防止し、エネルギー効率の高い給湯運転を行うことができる。
【発明の効果】
【０００９】
本発明のヒートポンプ給湯装置は、貯湯槽下部の水温上昇を防止し、エネルギー効率の高い給湯運転を行うことができる。
【発明を実施するための最良の形態】
【００１０】
第１の発明は、圧縮機、給湯用熱交換器、減圧手段、蒸発器を順次接続した冷媒回路と、貯湯槽の下部から循環ポンプを介して、前記給湯用熱交換器、三方弁を通過し、前記貯湯槽の上部へと水を循環させる給湯回路と、前記三方弁と前記貯湯槽の下部と接続するバイパス回路とを備え、前記循環ポンプの停止時または前記循環ポンプによる低流量運転時、前記給湯用熱交換器と前記貯湯槽の下部とが連通するように、前記三方弁を制御することを特徴するもので、貯湯槽上部の高温の湯の逆流と、貯湯槽下部の水温上昇を防止し、エネルギー効率の高い給湯運転を行うことができる。
【００１１】
第２の発明は、給湯用熱交換器を流出する給湯水の温度を検知する出湯温度センサーを有し、前記出湯温度センサーの検知温度が目標値より低い場合には、前記給湯用熱交換器と前記貯湯槽の下部とが連通するように、三方弁を制御することを特徴とするもので、貯湯槽上部の高温の湯の逆流と、貯湯槽下部の水温上昇を防止し、エネルギー効率の高い給湯運転を行うことができる。
【００１２】
第３の発明は、給湯用熱交換器を流出する給湯水の温度を検知する出湯温度センサーを有し、前記出湯温度センサーの検知温度が目標値以上の場合には、前記給湯用熱交換器と前記貯湯槽の上部とが連通するように、三方弁を制御することを特徴とするもので、貯湯槽下部の水温上昇を防止し、よりエネルギー効率の高い給湯運転を行うことができる。
【００１３】
第４の発明は、給湯運転終了時は、給湯用熱交換器と貯湯槽の下部とが連通するように、三方弁を制御することを特徴とするもので、貯湯槽上部の高温の湯の逆流と、貯湯槽下部の水温上昇を防止し、エネルギー効率の高い給湯運転を行うことができる。
【００１４】
第５の発明は、除霜運転中は、給湯用熱交換器と貯湯槽の下部とが連通するように、三方弁を制御することを特徴するもので、三方弁と貯湯槽下部を接続するバイパス回路に連通させることにより、貯湯槽上部の高温の湯の逆流と、貯湯槽下部の水温上昇を防止し、エネルギー効率の高い給湯運転を行うことができる。
【００１５】
第６の発明は、除霜運転終了後は、給湯用熱交換器と貯湯槽の上部とが連通するように、三方弁を制御することを特徴とするもので、貯湯槽下部の水温上昇を防止し、エネルギー効率の高い給湯運転を行うことができる。
【００１６】
第７の発明は、冷媒として炭酸ガスを用いたことを特徴とするもので、給湯水の高温化を高効率で実現すると共に、冷媒が外部に漏れた場合にも、地球温暖化への影響は非常に少なくなる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態におけるヒートポンプ給湯装置の構成図を示すものである。
【００１９】
図１において、圧縮機３１、給湯用熱交換器３２、減圧手段３３、蒸発器３４を順に環状に接続し、冷媒として炭酸ガスを封入して冷媒循環回路を形成し、蒸発器３４は、外気を送風するためのファン３５を備えている。また、貯湯槽４１、貯湯槽下部の取水口４２、循環ポンプ４３、給湯用熱交換器３２、三方弁４４、貯湯槽上部の温水戻り口４５を順次接続した給湯回路４６と、三方弁４４と貯湯槽４１底部を接続するバイパス回路４７を構成しており、圧縮機３１より吐出された高温高圧の過熱ガス冷媒は給湯用熱交換器３２に流入し、ここで循環ポンプ４３から送られてきた水を加熱するようになっている。
【００２０】
また、給湯用熱交換器３２に流入する入水温度を検知する入水温度センサー５１と給湯用熱交換器３２から流出する出湯温度を検知する出湯温度センサー５２と室外気温を検知する室外気温センサー５３、圧縮機３１の吐出冷媒温度を検出する吐出温度センサー５４、蒸発器３４の出口冷媒温度を検出する蒸発器出口温度センサー５５を設け、圧縮機３１の運転周波数や減圧手段３３の開度、ファン３５の回転数、循環ポンプ４３の回転数を制御する制御装置５６を設置している。冷媒は二酸化炭素を用いている。
【００２１】
以上のように構成されたヒートポンプ給湯装置について、以下その動作、作用を説明する。
【００２２】
通常の運転時では、ヒートポンプ給湯装置の運転を開始すると、循環ポンプ４３、ファン３５が運転され、入水温度センサー５１により貯湯槽４１から給湯用熱交換器３２に流入する入水温度が計測され、室外気温センサー５３により室外気温が計測され、吐出温度センサー５４により圧縮機３１の吐出冷媒温度が計測され、入水温度、室外気温、吐出冷媒温度と出湯目標温度により、圧縮機３１の運転周波数、減圧手段３３の初期開度Ｐ１はあらかじめ設定されたテーブルから選択し、決定され、圧縮機３１の運転が開始される。
【００２３】
圧縮機３１より吐出された冷媒は、圧縮機３１運転開始時は低温低圧の冷媒であるが、圧縮機３１の回転数の増加に伴い、次第に高温高圧の過熱ガス冷媒となる。そして、高温高圧となった冷媒は給湯用熱交換器３２に流入し、ここで循環ポンプ４３から送られてきた水と熱交換し加熱する。
【００２４】
そして、冷媒は中温高圧となり、減圧手段３３で減圧された後、蒸発器３４に流入し、ここでファン３５で送風された外気と熱交換して蒸発ガス化し、圧縮機３１にもどる。一方、循環ポンプ４３で送られた給湯水は給湯用熱交換器３２で加熱され、湯温度が給湯設定温度（例えば８０℃）より第一の所定値（例えば１０ｄｅｇ）ほど低い温度（７０℃）より低い（例えば６５℃）場合、三方弁４４は給湯用熱交換器３２と貯湯槽４１底部を連通させるように制御し、温水は貯湯槽４１の底部に戻される。
【００２５】
さらに、湯温度が給湯設定温度（例えば８０℃）より第一の所定値（例えば１０ｄｅｇ）ほど低い温度（７０℃）より高くなると、三方弁４４は給湯用熱交換器３２と貯湯槽上
部の温水戻り口４５を連通させるように制御され、湯は貯湯槽４１の上部に流入し、上から次第に貯湯されて行き、沸き上げ運転時間の経過とともに貯湯槽４１内に湯が貯まって行く。沸き上げ運転完了近くになると、貯湯槽４１底部より循環ポンプ４３を経て流入する水温は高くなり、入水温度が設定値以上になると、貯湯槽４１に湯が貯まったと判断し、圧縮機３１、循環ポンプ４３、ファン３５の運転を停止し、沸上を完了する。この時、三方弁４４は給湯用熱交換器３２と貯湯槽４１底部を連通させるように制御する。
【００２６】
次に、室外気温が低く蒸発器３４に霜が生成し、その霜を溶かす除霜運転を行う場合、循環ポンプ４３、ファン３５を停止し、給湯運転を停止し、減圧手段３３を開き、給湯用熱交換器３２での吐出冷媒の放熱をできるだけ防ぎ、高温高圧の冷媒を蒸発器３４に流し、蒸発器３４の温度を上昇させ除霜する。
【００２７】
この時、三方弁４４は給湯用熱交換器３２と貯湯槽４１底部を連通させるように制御し、運転される。除霜運転中は蒸発器３４に高温の冷媒を流入させて除霜を行うため、冷媒は吸熱して蒸発することができず、液冷媒の状態で圧縮機３１に吸入され、圧縮機３１から吸熱して蒸発するため、圧縮機３１の吐出温度は次第に低下する。
【００２８】
その結果、給湯用熱交換器３２には圧縮機３１の吐出冷媒が流れるため、給湯熱交換器３２の温度は吐出冷媒温度と同じ温度となる。蒸発器３４の霜が溶け、蒸発器３４出口配管の冷媒温度が上昇し、蒸発器出口温度センサーの出力値が設定値（例えば５℃）以上となると、除霜運転は終了し、循環ポンプ４３、ファン３５が運転され、入水温度、室外気温、吐出冷媒温度と出湯目標温度により、圧縮機３１の運転周波数および、減圧手段３３の初期開度Ｐ１はあらかじめ設定されたテーブルから選択され、決定され、給湯運転が再開される。
【００２９】
この時、三方弁４４は給湯用熱交換器３２と貯湯槽上部の温水戻り口４５を連通させるように制御され、湯は貯湯槽４１の上部に流入する。この時の湯温は、給湯設定温度（例えば８０℃）より低いが、圧縮機３１や給湯用熱交換器３２の温度はすぐに上昇し、湯温も上昇する。
【００３０】
その結果、除霜運転時に三方弁４４を貯湯槽４１底部と連通するように切り替えるため、貯湯槽の高温の湯が逆流し、高温の湯が貯湯槽４１底部に流入することを防止し、また、給湯運転再開後もすぐに三方弁４４を切り替え、貯湯槽上部の温水戻り口４５に連通させるため、貯湯槽４１底部の水温上昇を防止することができるため、エネルギー効率の高い給湯運転を行うことができる。
【産業上の利用可能性】
【００３１】
以上のように、本発明にかかるヒートポンプ給湯装置は、エネルギー効率の高い給湯運転が可能となるため、高温の湯を利用した空調機等の用途にも適用できる。
【図面の簡単な説明】
【００３２】
【図１】本発明の実施の形態１におけるのヒートポンプ給湯装置の構成図
【図２】従来のヒートポンプ給湯装置の構成図
【符号の説明】
【００３３】
３１  圧縮機
３２  給湯用熱交換器
３３  減圧手段
３４  蒸発器
３５  ファン
４１  貯湯槽
４２  貯湯槽下部の取水口
４３  循環ポンプ
４４  三方弁
４５  貯湯槽上部の温水戻り口
４６  給湯回路
４７  バイパス回路
５１  入水温度センサー
５２  出湯温度センサー
５３  室外気温センサー
５４  吐出温度センサー
５５  蒸発器出口温度センサー
５６  制御装置
【図１】
2009085476.tif 000003
【図２】
2009085476.tif 000004